(57)【要約】【課題】コモンモードノイズに対してはインピーダンスを発生してコモンモードノイズの通過を阻止しつつも、ノーマルモード信号の通過損失の増大を抑制可能なコモンモードチョークコイルを得ることを目的とする。【解決手段】閉磁路を形成するトロイダルコア２と、外面に絶縁処理を施した一対の導線５ａ，５ｂ、及び一対の導線５ａ，５ｂをまとめて被覆するシールド導体７Ａを有し、トロイダルコア２に巻回された信号伝送用ケーブル３Ａと、を備えている。【選択図】図１
2010272809.tif 000002
【特許請求の範囲】
【請求項１】
閉磁路を形成する閉磁路コアと、
外面に絶縁処理を施した一対の導線、及び上記一対の導線をまとめて被覆するシールド導体を有し、上記閉磁路コアに巻回された信号伝送用ケーブルと、
を備えることを特徴とするコモンモードチョークコイル。
【請求項２】
上記シールド導体は、上記導体の長手方向に互いの間に隙間をあけて上記導線を被覆する複数の分割シールド導体により構成されていることを特徴とする請求項１記載のコモンモードチョークコイル。
【請求項３】
請求項１記載のコモンモードチョークコイルが、信号の伝送経路に組み込まれた信号伝送用回路であって、
ＧＮＤを有し、上記シールド導体の一端のみが上記ＧＮＤに接地されていることを特徴とする信号伝送用回路。
【請求項４】
請求項１記載のコモンモードチョークコイルが、信号の伝送経路に組み込まれた信号伝送用回路であって、
ＧＮＤを有し、上記シールド導体の両端が上記ＧＮＤから浮いており、上記シールド導体の中間部の少なくとも一点が、上記ＧＮＤに接地されていることを特徴とする信号伝送用回路。
【請求項５】
請求項１または請求項２記載のコモンモードチョークコイルが、信号の伝送経路に組み込まれた信号伝送用回路であって、
ＧＮＤを有し、上記シールド導体が上記ＧＮＤから浮いていることを特徴とする信号伝送用回路。
【請求項６】
請求項１または請求項２記載のコモンモードチョークコイルが、信号の伝送経路に組み込まれた信号伝送用回路であって、
互いに分離された異種のＧＮＤを有し、上記シールド導体の両端のそれぞれが、分離されている上記異種のＧＮＤのそれぞれに接地されていることを特徴とする信号伝送用回路。
【発明の詳細な説明】
【技術分野】
【０００１】
この発明は、コモンモードノイズの通過を阻止しつつ、ノーマルモード信号を通過させるコモンモードチョークコイル及びそれを用いた信号伝送用回路に関する。
【背景技術】
【０００２】
従来のコモンモードチョークコイルは、環状の磁心と、磁心にバイファイラ巻により巻回された一対の導線と、を備える（例えば、特許文献１参照）。
従来のコモンモードチョークコイルにおいて、コモンモード信号が一対の導線のそれぞれの一端側から入力される場合、コモンモード信号が導線を伝送するときに発生する磁界により磁心の内部に発生する磁束のそれぞれは互いに強めあう。このため、従来のコモンモードチョークコイルは、コモンモード信号に対して大きなインピーダンスを発生するインダクタとして働き、コモンモード信号は、導線の他端側へ向かうことが阻止される。
【０００３】
一方、ノーマルモード信号が一対の導線のそれぞれの一端側から入力される場合、ノーマルモード信号が導線を伝送するときに発生する磁界により磁心の内部に発生する磁束のそれぞれは互いに打ち消しあう。このため、従来のコモンモードチョークコイルは、ノーマルモード信号に対して、インピーダンスを発生しない。つまり、従来のコモンモードチョークコイルでは、ノーマルモード信号を一対の導線の一端から入力して信号伝送を行う場合、導線をコモンモードで伝搬しようとするコモンモードノイズの通過を阻止し、ノーマルモード信号のみを通過させることが可能になっていた。
【先行技術文献】
【特許文献】
【０００４】
【特許文献１】特開平７−２９７５５号公報
【発明の概要】
【発明が解決しようとする課題】
【０００５】
従来のコモンモードチョークコイルは、上述したように、原理的にはノーマルモード信号に対してインピーダンスを発生しない。これは、ノーマルモード信号が一対の導線を伝送したときに、完全に同じ大きさの磁束が磁心の内部に発生するように、一対の導線が磁心に対して等価な条件で巻回されていることを前提としている。しかし、現実的には磁心に対して一対の導線を等価な条件で巻回するのは容易ではない。
【０００６】
例えば、一対の導線を磁心の外周面に密接するように巻回した場合、実際には、隙間が導線の一部と磁心との間に生じている。このとき、一方の導線と磁心との隙間と、他方の導線と磁心との隙間とが不均一であると、ノーマルモード信号が導線のそれぞれを伝送するときに発生する磁束のそれぞれの大きさが異なってしまう。これにより、コモンモードチョークコイルは、ノーマルモード信号に対してもインピーダンスを発生するインダクタとして働き、ノーマルモード信号の通過損失が発生してしまう。
【０００７】
この発明は上記の課題を解決するためになされたものであり、コモンモードノイズの通過を阻止しつつもノーマルモード信号の通過損失の増大を抑制可能なコモンモードチョークコイル及びそれを用いた信号伝送用回路を得ることを目的とする。
【課題を解決するための手段】
【０００８】
この発明のコモンモードチョークコイルは、閉磁路を形成する閉磁路コアと、外面に絶縁処理を施した一対の導線、及び一対の導線をまとめて被覆するシールド導体を有し、閉磁路コアに巻回された信号伝送用ケーブルと、を備えている。
【発明の効果】
【０００９】
この発明に係るコモンモードチョークコイルは、一対の導線がシールド導体に被覆されているので、ノーマルモード信号が互いをリターン経路とする一対の導線を伝搬しても磁束が閉磁路コアに発生せず、コモンモードノイズが導線を伝搬するときには、コモンモードノイズはシールド導体の外面にも伝搬して磁束が閉磁路コアに発生する。従って、コモンモードチョークコイルは、一対の導線が閉磁路コアに対して等価な条件で巻回されていなくてもノーマルモード信号に対してはインピーダンスを発生することがなく、コモンモードノイズに対してのみインピーダンスを発生するので、コモンモードノイズの通過を阻止しつつも、ノーマルモード信号の通過損失の増大を抑制できる。
【図面の簡単な説明】
【００１０】
【図１】この発明の実施の形態１に係るコモンモードチョークコイルの構成、及びコモンモードチョークコイルを用いた信号伝送用回路の要部を説明する図である。
【図２】この発明の実施の形態２に係る信号伝送用回路の要部を説明する図である。
【図３】この発明の実施の形態３に係る信号伝送用回路の要部を説明する図である。
【図４】この発明の実施の形態４に係る信号伝送用回路の要部を説明する図である。
【図５】この発明の実施の形態５に係るコモンモードチョークコイルの構成、及びコモンモードチョークコイルが組み込まれた信号伝送用回路の要部を説明する図である。
【発明を実施するための形態】
【００１１】
以下、この発明を実施するための最良の形態について、図面を参照して説明する。
【００１２】
実施の形態１．
図１はこの発明の実施の形態１に係るコモンモードチョークコイルの構成、及びコモンモードチョークコイルを用いた信号伝送用回路の要部を説明する図である。
【００１３】
図１において、コモンモードチョークコイル１Ａは、フェライト、及び鉄系アモルファス金属などの磁性材料からなり、閉磁路を形成する閉磁路コアとしてのトロイダルコア２と、トロイダルコア２に巻回された信号伝送用ケーブル３Ａと、を備える。
【００１４】
信号伝送用ケーブル３Ａは、絶縁材料からなる被覆体４、及びそれぞれ被覆体４に被覆された一対の導線５ａ，５ｂを有する絶縁被覆導線６ａ，６ｂと、一対の絶縁被覆導線６ａ，６ｂをひとまとめにして被覆するシールド導体７Ａと、を備える。
シールド導体７Ａには、細い導線を網目状に編み込んで作製した編組構成のものや、アルミテープなどを用いることができる。
そして、信号伝送用ケーブル３Ａは、トロイダルコア２に２ターン巻回され、信号伝送用ケーブル３Ａの一端は、トロイダルコア２の一端側の開口からトロイダルコア２の外側に延出され、信号伝送用ケーブル３Ａの他端は、トロイダルコア２の他端側の開口からトロイダルコア２の外側に延出されている。
【００１５】
そして、コモンモードチョークコイル１Ａは、例えば、ノーマルモード信号（電流）を伝送するための信号伝送用回路１０Ａにおける信号伝送経路に組み込まれて使用される。信号伝送用回路１０Ａは、回路のグランド１１（ＧＮＤ１１）を有する。このとき、シールド導体７Ａが、ＧＮＤ１１から浮いた状態に配置されている。
【００１６】
以下、コモンモードチョークコイル１Ａの導線５ａ，５ｂにコモンモード信号及びノーマルモード信号が入力された場合の信号伝送用回路１０Ａの動作について説明する。
【００１７】
コモンモード信号（電流）を一対の導線５ａ，５ｂの一端に入力して伝搬させる場合、コモンモード信号は、導線５ａ，５ｂのそれぞれをシールド導体７Ａの内面をリターン経路として同じ方向に伝搬しようとするが、このとき、シールド導体７ＡがＧＮＤ１１から浮いているので、シールド導体７Ａの外面にも、導線５ａ，５ｂから入力されたコモンモード信号が、ＧＮＤ１１をリターン経路として伝搬する。
【００１８】
そして、シールド導体７Ａの外面を伝搬する信号により発生する磁界によって、磁束がトロイダルコア２の内部に発生する。つまり、コモンモードチョークコイル１Ａは、コモンモード信号に対して大きなインピーダンスを発生するインダクタとして働く。従って、シールド導体７Ａの内面をリターン経路として導線５ａ，５ｂを伝搬しようとするコモンモード信号が、導線５ａ，５ｂの一端から他端に通過することが阻止される。
【００１９】
一方、ノーマルモード信号が一対の導線５ａ，５ｂを伝搬する場合、互いの導線５ａ，５ｂをリターン経路とし、導線５ａと導線５ｂとで異なる方向に伝搬する。このとき、ノーマルモード信号は、互いの導線５ａ，５ｂをリターン経路とする経路のみを伝搬し、シールド導体７Ａをリターン経路として導線５ａ，５ｂを伝搬するものはない。
ここで、仮にシールド導体７Ａが省略されており、一対の絶縁被覆導線６ａ，６ｂがトロイダルコア２に対して等価な条件で巻回されていない場合には、従来のコモンモードチョークコイルでの場合と同様、ノーマルモード信号が導線５ａ，５ｂを伝搬したときに発生する磁界によって、磁束がトロイダルコア２に発生することになる。
【００２０】
しかし、コモンモードチョークコイル１Ａでは、ノーマルモード信号は導線５ａ，５ｂのみを伝搬し、絶縁被覆導線６ａ，６ｂがシールド導体７Ａによって被覆されているので、ノーマルモード信号が導線５ａ，５ｂのそれぞれを伝搬することによって発生する磁界がトロイダルコア２に到達することはない。即ち、仮に、一対の絶縁被覆導線６ａ，６ｂがトロイダルコア２に対して等価な条件で巻回されていなくても、ノーマルモード信号が、導線５ａ，５ｂを伝搬することで発生する磁界によって、トロイダルコア２内に磁束が発生することはない。従って、コモンモードチョークコイル１Ａは、ノーマルモード信号に対してインピーダンスを発生しないので、ノーマルモード信号が導線５ａ，５ｂを伝搬して通過するときの損失の増大が抑制される。
【００２１】
そして、信号伝送用回路１０Ａにおいて、ノーマルモード信号をノーマルモード信号を一対の導線５ａ，５ｂの一端側から導線５ａ，５ｂ間に入力して信号伝送を行う場合、ノーマルモード信号は、減衰することなく導線５ａ，５ｂを通過するが、ノイズがコモンモード信号として導線５ａ，５ｂにのって伝搬しようとするときは、ノイズが導線５ａ，５ｂの一端から他端に通過することが阻止される。以下、コモンモードで導線５ａ，５ｂを伝搬するノイズをコモンモードノイズとする。
【００２２】
この実施の形態１のコモンモードチョークコイル１Ａは、トロイダルコア２に巻回された一対の絶縁被覆導線６ａ，６ｂが、シールド導体７Ａにより被覆されて構成されている。そして、ノーマルモード信号が導線５ａ，５ｂのそれぞれを伝搬することによって発生する磁界は、シールド導体７Ａにシールドされて、トロイダルコア２に達することがなく、ノーマルモード信号が導線５ａ，５ｂを伝搬しても、磁束はトロイダルコア２に発生しない。また、コモンモード信号が導線５ａ，５ｂを伝搬するときには、シールド導体７Ａの外面に信号が流れ、当該信号によって発生する磁界によって、トロイダルコア２に磁束が発生し、コモンモード信号に対してはインピーダンスが発生する。
つまり、コモンモードチョークコイル１Ａを信号伝送経路に組み込むことで、コモンモードノイズの通過を阻止しつつも、ノーマルモード信号の通過損失の増大を抑制できる。言い換えれば、コモンモードチョークコイル１Ａが信号伝送経路に組み込まれた信号伝送用回路１０Ａを用いてノーマルモード信号を伝送する場合、コモンモードノイズの通過を阻止しつつ、ノーマルモード信号の通過損失の増大を抑制できる。
【００２３】
なお、この実施の形態１では、コモンモードチョークコイル１Ａは、シールド導体７Ａを浮かせた状態で信号伝送用回路１０Ａに組み込まれるものとして説明したが、シールド導体７Ａの両端または片端とＧＮＤ１１とをインダクタを介して接続したものでもよい。即ち、高周波的にＧＮＤ１１からシールド導体７Ａを浮かせたものでもよい。
【００２４】
実施の形態２．
図２はこの発明の実施の形態２に係る信号伝送用回路の要部を説明する図である。
なお、図２において、上記実施の形態１と同一部分には同一符号を付し、その説明は省略する。
【００２５】
図２において、信号伝送用回路１０Ｂは、コモンモードチョークコイル１Ａが信号伝送経路に組み込まれ、ＧＮＤ１１とシールド導体７Ａの一端とを接続する接地用導体１２ａを有する。信号伝送用回路１０Ｂの他の構成は信号伝送用回路１０Ａと同様である。
【００２６】
以下、コモンモードチョークコイル１Ａの導線５ａ，５ｂにコモンモード信号及びノーマルモード信号が入力された場合の信号伝送用回路１０Ｂの動作について説明する。
【００２７】
コモンモード信号を一対の導線５ａ，５ｂの一端に入力して伝搬させる場合、コモンモード信号は、導線５ａ，５ｂのそれぞれをシールド導体７Ａの内面をリターン経路として伝搬しようとする。しかし、シールド導体７Ａの一端が接地用導体１２ａによりＧＮＤ１１に接地され、他端が信号伝送用回路１０ＢのＧＮＤ１１から浮いているので、シールド導体７Ａの外面にも、導線５ａ，５ｂから入力されたコモンモード信号が、接地用導体１２ａを介して接続されたＧＮＤ１１をリターン経路として伝搬する。
【００２８】
シールド導体７Ａの外面を伝搬する信号によって、コモンモードチョークコイル１Ａは、上記実施の形態１と同様、コモンモード信号に対して大きなインピーダンスを発生するインダクタとして働く。従って、シールド導体７Ａの内面をリターン経路として導線５ａ，５ｂを伝搬しようとするコモンモード信号が、導線５ａ，５ｂの一端から他端に通過することが阻止される。
なお、ノーマルモード信号の伝搬は、上記実施の形態１の場合と同様に伝搬する。
【００２９】
以上により、信号伝送用回路１０Ｂによれば、信号伝送用回路１０Ａと同様、ノーマルモード信号の伝送を行う場合に、ノイズがコモンモード信号として導線５ａ，５ｂにのって伝搬しようとするときは、コモンモードノイズの通過を阻止しつつ、ノーマルモード信号の通過損失の増大を抑制することができる。
【００３０】
なお、シールド導体７Ａの他端は、ＧＮＤ１１から浮いた状態にするものとして説明したが、シールド導体７Ａの他端とＧＮＤ１１との間を、インダクタを介して接続してもよい。つまり、高周波信号に対して、シールド導体７Ａの他端とＧＮＤ１１とが浮いていればよい。
【００３１】
また、シールド導体７Ａの一端とＧＮＤ１１とは、接地用導体１２ａに代え、コンデンサにより接続してもよい。つまり、高周波信号に対して、シールド導体７Ａの一端とＧＮＤ１１とが低インピーダンスで接続されているものでもよい。
【００３２】
実施の形態３．
図３はこの発明の実施の形態３に係る信号伝送用回路の要部を説明する図である。
なお、図３において、上記実施の形態１と同一部分には同一符号を付し、その説明は省略する。
【００３３】
図３において、信号伝送用回路１０Ｃは、コモンモードチョークコイル１Ａが信号伝送経路に組み込まれ、ＧＮＤ１１とシールド導体７Ａの両端を除く中間部のいずれかの部位とを接続する接地用導体１２ａを有する。
【００３４】
以下、コモンモードチョークコイル１Ａの導線５ａ，５ｂにコモンモード信号及びノーマルモード信号が入力された場合の信号伝送用回路１０Ｃの動作について説明する。
【００３５】
コモンモード信号が一対の導線５ａ，５ｂの一端に入力されると、シールド導体７Ａの内面をリターン経路として伝搬しようとする。しかし、シールド導体７Ａの両端がＧＮＤ１１から浮いており、シールド導体７Ａの中間部の一部が接地用導体１２ａによりＧＮＤ１１に接地されているので、シールド導体７Ａの外面にも、導線５ａ，５ｂに入力されたコモンモード信号が、接地用導体１２ａを介してシールド導体７Ａに接続されたＧＮＤ１１をリターン経路として伝搬する。
【００３６】
そして、シールド導体７Ａの外面を伝搬する信号により発生する磁界によって、磁束がトロイダルコア２の内部に発生する。つまり、コモンモードチョークコイル１Ａは、コモンモード信号に対して大きなインピーダンスを発生するインダクタとして働く。従って、シールド導体７Ａの内面をリターン経路として導線５ａ，５ｂを伝搬しようとするコモンモード信号が、導線５ａ，５ｂの一端から他端に通過することが阻止される。
なお、ノーマルモード信号の伝搬は、上記実施の形態１の場合と同様に伝搬する。
【００３７】
以上により、この実施の形態３の信号伝送用回路１０Ｃによれば、信号伝送用回路１０Ａと同様、ノーマルモード信号の伝送を行う場合に、ノイズがコモンモード信号として導線５ａ，５ｂにのって伝搬しようとするときは、コモンモードノイズの通過を阻止しつつ、ノーマルモード信号の通過損失の増大を抑制することができる。
【００３８】
なお、この実施の形態３では、シールド導体７Ａの両端は、ＧＮＤ１１から浮いた状態にするものとして説明したが、シールド導体７Ａの少なくとも一方の端部とＧＮＤ１１との間を、インダクタを介して接続してもよい。つまり、高周波信号に対して、シールド導体７Ａの少なくとも一方の端部とＧＮＤ１１とが浮くように接続してもよい。
【００３９】
また、シールド導体７Ａの中間部とＧＮＤ１１とは、接地用導体１２ａに代え、コンデンサにより接続してもよい。つまり、高周波信号に対して、シールド導体７Ａの中間部とＧＮＤ１１とが低インピーダンスで接続されているものでもよい。
【００４０】
実施の形態４．
図４はこの発明の実施の形態４に係る信号伝送用回路の要部を説明する図である。
なお、図４において、上記実施の形態１と同一部分には同一符号を付し、その説明は省略する。
【００４１】
図４において、信号伝送用回路１０Ｄは、コモンモードチョークコイル１Ａが信号伝送経路に組み込まれ、互いに分離されている異種のグランドを有する。異種のグランドとは、例えば、アナロググランド、デジタルグランド、及びフレームグランドなどである。
以下、アナロググランドを第１ＧＮＤ１１ａとし、デジタルグランドを第２ＧＮＤ１１ｂとする。
また、信号伝送用回路１０Ｄは、シールド導体７Ａの一端と第１ＧＮＤ１１ａとを接続する接地用導体１２ａと、シールド導体７Ａの他端と第２ＧＮＤ１１ｂとを接続する接地用導体１２ｂと、を備える。
【００４２】
以下、コモンモードチョークコイル１Ａの導線５ａ，５ｂにコモンモード信号及びノーマルモード信号が入力された場合の信号伝送用回路１０Ｄの動作について説明する。
【００４３】
コモンモード信号が一対の導線５ａ，５ｂの一端から入力された場合、シールド導体７Ａの内面をリターン経路として導線５ａ，５ｂを伝搬しようとする。このとき、シールド導体７Ａの両端は、分離されている第１ＧＮＤ１１ａ及び第２ＧＮＤ１１ｂに接続用導体１２ａ，１２ｂにより接地されている。従って、シールド導体７Ａの外面にも、導線５ａ，５ｂに入力されたコモンモード信号が、接地用導体１２ａを介してシールド導体７Ａに接続された第１ＧＮＤ１１ａ、または接地用導体１２ｂを介してシールド導体７Ａに接続された第２ＧＮＤ１１ｂをリターン経路として伝搬する。第１ＧＮＤ１１ａと第２ＧＮＤ１１ｂとが分離されている場合、分離されていない場合に比べ、コモンモード信号のリターン経路が限定されるので、コモンモード信号に対してインピーダンスが増大する。
【００４４】
そして、シールド導体７Ａの外面を伝搬する信号により発生する磁界によって、磁束がトロイダルコア２の内部に発生する。つまり、コモンモードチョークコイル１Ａは、コモンモード信号に対して大きなインピーダンスを発生するインダクタとして働く。従って、シールド導体７Ａの内面をリターン経路として導線５ａ，５ｂを伝搬しようとするコモンモード信号が、導線５ａ，５ｂの一端から他端に通過することが阻止される。
なお、ノーマルモード信号の伝搬は、上記実施の形態１の場合と同様に伝搬する。
【００４５】
以上により、実施の形態４の信号伝送用回路１０Ｄによれば、信号伝送用回路１０Ａと同様、ノーマルモード信号の伝送を行う場合に、ノイズがコモンモード信号として導線５ａ，５ｂにのって伝搬しようとするときは、コモンモードノイズの通過を阻止しつつ、ノーマルモード信号の通過損失の増大を抑制することができる。
【００４６】
なお、この実施の形態４では、異種のＧＮＤは、完全に分離されているものとして説明したが、異種のＧＮＤ間に大きなインピーダンスが生じるように接続するものであれば、配線パターン、接続導線、コンデンサ、コイル、及び抵抗などにより異種のＧＮＤ間を接続してもよい。
また、シールド導体７Ａの両端のそれぞれが、分離されているＧＮＤのそれぞれに接続されるものであれば、シールド導体７Ａの両端のそれぞれに接続するＧＮＤの種類は問わない。
また、接地用導体１２ａ，１２ｂは省略されていてもよい。
【００４７】
実施の形態５．
図５はこの発明の実施の形態５に係るコモンモードチョークコイルの構成、及びコモンモードチョークコイルが組み込まれた信号伝送用回路の要部を説明する図である。
なお、図５において、上記実施の形態１と同一または相当部分には同一符号を付し、その説明は省略する。
【００４８】
図５において、コモンモードチョークコイル１Ｂは、信号伝送用ケーブル３Ａに代え、信号伝送用ケーブル３Ｂを備える。
そして、信号伝送用ケーブル３Ｂのシールド導体７Ｂは、絶縁被覆導線６ａ，６ｂ（導線５ａ，５ｂ）の長手方向に互いの間に隙間をあけて、それぞれが絶縁被覆導線６ａ，６ｂを被覆する分割シールド導体７ａ及び分割シールド導体７ｂにより構成されている。つまり、絶縁被覆導線６ａ，６ｂの被覆が、絶縁被覆導線６ａ，６ｂの中間部の一部で途切れ、シールド導体７Ｂが分割シールド導体７ａ及び分割シールド導体７ｂに分離している。コモンモードチョークコイル１Ｂの他の構成はコモンモードチョークコイル１Ａと同様である。
【００４９】
そして、コモンモードチョークコイル１Ｂは、例えば、ノーマルモード信号を伝送するための信号伝送用回路１０Ｅの信号伝送経路に組み込まれて使用される。
信号伝送用回路１０Ｅは、トロイダルコア２の一端側開口から延出された分割シールド導体７ａの端部とＧＮＤ１１とを接続する接地用導体１２ａと、トロイダルコア２の他端側開口から延出された分割シールド導体７ｂの端部とＧＮＤ１１とを接続する接地用導体１２ｂと、を有する。
【００５０】
以下、コモンモードチョークコイル１Ａの導線５ａ，５ｂの一端からコモンモード信号及びノーマルモード信号が入力された場合の信号伝送用回路１０Ｅの動作について説明する。
【００５１】
コモンモード信号を一対の導線５ａ，５ｂの一端に入力して伝搬させる場合、コモンモード信号は、導線５ａ，５ｂのそれぞれを分割シールド導体７ａ，７ｂの内面をリターン経路として伝搬しようとする。しかし、トロイダルコア２から延出された分割シールド導体７ａ，７ｂの両端が接地用導体１２ａ，１２ｂによりＧＮＤ１１に接地され、かつ、分割シールド導体７ａ，７ｂは分離されているので、分割シールド導体７ａ，７ｂの外面にも、導線５ａ，５ｂに入力されたコモンモード信号が、ＧＮＤ１１をリターン経路として伝搬する。
【００５２】
そして、分割シールド導体７ａ，７ｂの外面を伝搬する信号により発生する磁界によって、磁束がトロイダルコア２の内部に発生する。つまり、コモンモードチョークコイル１Ｂは、コモンモード信号に対して大きなインピーダンスを発生するインダクタとして働く。従って、シールド導体７Ａの内面をリターン経路として導線５ａ，５ｂを伝搬しようとするコモンモード信号が、導線５ａ，５ｂの一端から他端に通過することが阻止される。
【００５３】
なお、絶縁被覆導線６ａ，６ｂのトロイダルコア２への巻回領域において、シールド導体７Ｂによる絶縁被覆導線６ａ，６ｂのシールドの解除部位は一部のみである。即ち、ノーマルモード信号が導線５ａ，５ｂのそれぞれを伝搬することによって発生する磁界は、分割シールド導体７ａ，７ｂにシールドされるので、トロイダルコア２にほとんど達することはなく、ノーマルモード信号によりトロイダルコア２に発生する磁束は小さい。従って、コモンモードチョークコイル１Ｂは、ノーマルモード信号に対してインピーダンスをほぼ発生しないので、ノーマルモード信号が導線５ａ，５ｂを伝搬して通過するときの損失の増大が抑制される。
【００５４】
つまり、信号伝送用回路１０Ｅにおいて、ノーマルモード信号を一対の導線５ａ，５ｂの一端側から導線５ａ，５ｂ間に入力して信号伝送を行う場合、ノーマルモード信号は、減衰することなく導線５ａ，５ｂを通過するが、ノイズがコモンモード信号として導線５ａ，５ｂにのって伝搬しようとするときは、ノイズが導線５ａ，５ｂの一端から他端に通過することが阻止される。
【００５５】
以上により、この実施の形態５のコモンモードチョークコイル１Ｂは、実施の形態１と同様、信号伝送経路に組み込むことで、コモンモードノイズの通過を阻止しつつも、ノーマルモード信号の通過損失の増大を抑制できる。言い換えれば、コモンモードチョークコイル１Ｂが信号伝送経路に組み込まれた信号伝送用回路１０Ｅによってノーマルモード信号を伝送する場合も、コモンモードノイズの通過を阻止しつつ、ノーマルモード信号の通過損失の増大を抑制できる。
【００５６】
なお、上記実施の形態５では、分割シールド導体７ａのトロイダルコア２の一端側開口から延出された側の端部と一端とＧＮＤ１１とを接地用導体１２ａで接続し、分割シールド導体７ｂのトロイダルコア２の他端側開口から延出された側の端部とを接地用導体１２ｂで接続するものとして説明したが、接地用導体１２ａ，１２ｂを省略しても良い。この場合でも、コモンモード信号が導線５ａ，５ｂに入力されると、分割シールド導体７ａ，７ｂの外面にも信号が伝搬するので上記効果が得られる。
【００５７】
また、分割シールド導体７ａと分割シールド導体７ｂとはインダクタにより接続されていてもよい。つまり、シールド導体７Ｂが、高周波信号に対して分離された部位を有しているものであればよい。
【００５８】
また、トロイダルコア２の一端側開口から延出された分割シールド導体７ａの端部とＧＮＤ１１との間、及びトロイダルコア２の他端側開口から延出された分割シールド導体７ｂの端部とＧＮＤ１１との間は、接地用導体１２ａ，１２ｂに代えて、コンデンサにより接続してもよい。
また、シールド導体７Ｂは、一対の分割シールド導体７ａ，７ｂにより構成されるものとしたが、導線５ａ，５ｂの長手方向に互いに隙間をあけて配置された３つ以上の分割シールド導体により構成されていてもよい。
【００５９】
また、上記各実施の形態では、トロイダルコア２に２ターン巻回するものとして説明したが、信号伝送用ケーブルの巻回数は、１ターンであっても、３ターン以上であってもよい。
また、閉磁路コアはトロイダルコア２であるものとして説明したが、閉磁路コアは、例えば、外形がトロイダルとことなる筒状からなるものなど、閉磁路を形成するものであれば、その形状は限定されない。
【符号の説明】
【００６０】
１Ａ，１Ｂ  コモンモードチョークコイル、２  トロイダルコア、５ａ，５ｂ  導線、７Ａ，７Ｂ  シールド導体、７ａ，７ｂ  分割シールド導体、１０Ａ〜１０Ｅ  信号伝送用回路、１１  ＧＮＤ、１１ａ，１１ｂ  異種のＧＮＤ。
【図１】
2010272809.tif 000003
【図２】
2010272809.tif 000004
【図３】
2010272809.tif 000005
【図４】
2010272809.tif 000006
【図５】
2010272809.tif 000007